(57)【特許請求の範囲】
【請求項１】
紙文書の読取処理を行うための指示内容と、読み取った紙文書のデータを送信する送信先が定義されているスキャンチケットを、画像形成装置からの生成要求に応じて生成するスキャンチケット生成手段を備える前記スキャンチケットを管理する管理サーバと通信可能な、画面表示部を備える画像形成装置であって、
文書データを取得する文書データ取得手段と、
前記文書データ取得手段で取得した文書データの印刷後の文書の送信先を示す送信先情報を取得可能である場合に、前記管理サーバにおいて前記送信先情報の示す送信先を含むスキャンチケットを生成させるべく、当該スキャンチケットの生成を要求するスキャンチケット生成要求手段と、
前記管理サーバより取得した前記スキャンチケットを画面表示部に表示する第１の表示制御手段と、
前記第１の表示制御手段により画面表示部に表示されたスキャンチケットの選択による紙文書の読取処理を実行する操作を受け付ける操作指示受付手段と、
前記操作指示受付手段により選択されたスキャンチケットの内容に基づいて紙文書の読取処理を行い、当該スキャンチケットに含まれる送信先に基づいて、前記読取処理により取得した画像データを送信先へ送信する送信手段と
を備え、
前記スキャンチケット生成要求手段は、前記送信先情報を少なくとも含む、スキャンチケットを生成するためのデータであるスキャンチケット生成データが、前記文書データ取得手段で取得した文書データに紐付いている場合に、前記管理サーバに対して当該スキャンチケット生成データに含まれる前記送信先情報の示す送信先を含むスキャンチケットの生成を要求することを特徴とする画像形成装置。
【請求項２】
紙文書の読取処理を行うための指示内容と、読み取った紙文書のデータを送信する送信先が定義されているスキャンチケットを、画像形成装置からの生成要求に応じて生成するスキャンチケット生成手段を備える前記スキャンチケットを管理する管理サーバと通信可能な、画面表示部を備える画像形成装置であって、
文書データを取得する文書データ取得手段と、
前記文書データ取得手段で取得した文書データの印刷後の文書の送信先を示す送信先情報を取得可能である場合に、前記管理サーバにおいて前記送信先情報の示す送信先を含むスキャンチケットを生成させるべく、当該スキャンチケットの生成を要求するスキャンチケット生成要求手段と、
前記管理サーバより取得した前記スキャンチケットを画面表示部に表示する第１の表示制御手段と、
前記第１の表示制御手段により画面表示部に表示されたスキャンチケットの選択による紙文書の読取処理を実行する操作を受け付ける操作指示受付手段と、
前記操作指示受付手段により選択されたスキャンチケットの内容に基づいて紙文書の読取処理を行い、当該スキャンチケットに含まれる送信先に基づいて、前記読取処理により取得した画像データを送信先へ送信する送信手段と
を備え、
前記スキャンチケット生成要求手段は、前記文書データの文字情報に前記送信先を示す送信先情報が含まれる場合、前記管理サーバに対して当該文字情報に含まれる前記送信先情報の示す送信先を含むスキャンチケットの生成を要求することを特徴とする画像形成装置。
【請求項３】
前記文書データ取得手段で文書データを取得することによる前記送信先情報の取得が不可能である場合に、ユーザ操作によってスキャンチケットを生成させるべく、スキャンチケット生成のための画面を前記画面表示部に表示する生成画面表示制御手段と、
を備えることを特徴とする請求項１又は２に記載の画像形成装置。
【請求項４】
前記文書データ取得手段で文書データを取得することによる前記送信先情報の取得が不可能である場合に、前記文書データの取得元の情報を前記管理サーバに送信する取得元情報送信手段と、
を更に備え、
前記生成画面表示制御手段は、前記取得元情報送信手段で送信された取得元情報に対応するスキャンチケットを、前記画面表示部に表示することを特徴とする請求項３に記載の画像形成装置。
【請求項５】
前記文書データ取得手段で取得する文書データのデータファイル形式を特定する特定手段と、
前記特定手段で特定したデータファイル形式を以って、スキャンチケットの生成指示を受け付けるための画面である生成指示受付画面を画面表示部に表示するか否かを判定する判定手段と、
前記判定手段で判定した判定結果に従って、前記画面表示部に前記生成指示受付画面を表示する第２の表示制御手段と
を備えることを特徴とする請求項１乃至４のいずれか１項に記載の画像形成装置。
【請求項６】
紙文書の読取処理を行うための指示内容と、読み取った紙文書のデータを送信する送信
先が定義されているスキャンチケットを管理する管理サーバと、画像形成装置とを含む画
像形成システムであって、
前記画像形成装置は、
文書データを取得する文書データ取得手段と、
前記文書データ取得手段で取得した文書データの印刷後の文書の送信先を示す送信先情報を取得可能である場合に、前記管理サーバにおいて前記送信先情報の示す送信先を含むスキャンチケットを生成させるべく、当該スキャンチケットの生成を要求するスキャンチケット生成要求手段と、
前記管理サーバより取得した前記スキャンチケットを画面表示部に表示する第１の表示制御手段と、
前記第１の表示制御手段により画面表示部に表示されたスキャンチケットの選択による紙文書の読取処理を実行する操作を受け付ける操作指示受付手段と、
前記操作指示受付手段により選択されたスキャンチケットの内容に基づいて紙文書の読取処理を行い、当該スキャンチケットに含まれる送信先に基づいて、前記読取処理により取得した画像データを送信先へ送信する送信手段と
を備え、
前記スキャンチケット生成要求手段は、前記送信先情報を少なくとも含む、スキャンチケットを生成するためのデータであるスキャンチケット生成データが、前記文書データ取得手段で取得した文書データに紐付いている場合に、前記管理サーバに対して当該スキャンチケット生成データに含まれる前記送信先情報の示す送信先を含むスキャンチケットの生成を要求することを特徴とし、
前記管理サーバは、
前記画像形成装置からの生成要求に応じて、前記スキャンチケットを生成するスキャンチケット生成手段と、
前記生成手段で生成したスキャンチケットを、前記画像形成装置に取得させるべく送信するスキャンチケット送信手段と、
を備えることを特徴とする画像形成システム。
【請求項７】
紙文書の読取処理を行うための指示内容と、読み取った紙文書のデータを送信する送信
先が定義されているスキャンチケットを管理する管理サーバと、画像形成装置とを含む画
像形成システムであって、
前記画像形成装置は、
文書データを取得する文書データ取得手段と、
前記文書データ取得手段で取得した文書データの印刷後の文書の送信先を示す送信先情報を取得可能である場合に、前記管理サーバにおいて前記送信先情報の示す送信先を含むスキャンチケットを生成させるべく、当該スキャンチケットの生成を要求するスキャンチケット生成要求手段と、
前記管理サーバより取得した前記スキャンチケットを画面表示部に表示する第１の表示制御手段と、
前記第１の表示制御手段により画面表示部に表示されたスキャンチケットの選択による紙文書の読取処理を実行する操作を受け付ける操作指示受付手段と、
前記操作指示受付手段により選択されたスキャンチケットの内容に基づいて紙文書の読取処理を行い、当該スキャンチケットに含まれる送信先に基づいて、前記読取処理により取得した画像データを送信先へ送信する送信手段と
を備え、
前記スキャンチケット生成要求手段は、前記文書データの文字情報に前記送信先を示す送信先情報が含まれる場合、前記管理サーバに対して当該文字情報に含まれる前記送信先情報の示す送信先を含むスキャンチケットの生成を要求することを特徴とし、
前記管理サーバは、
前記画像形成装置からの生成要求に応じて、前記スキャンチケットを生成するスキャンチケット生成手段と、
前記生成手段で生成したスキャンチケットを、前記画像形成装置に取得させるべく送信するスキャンチケット送信手段と、
を備えることを特徴とする画像形成システム。
【請求項８】
紙文書の読取処理を行うための指示内容と、読み取った紙文書のデータを送信する送信先が定義されているスキャンチケットを、画像形成装置からの生成要求に応じて生成するスキャンチケット生成手段を備える前記スキャンチケットを管理する管理サーバと通信可能な、画面表示部を備える画像形成装置の制御方法であって、
画像形成装置の文書データ取得手段が、文書データを取得する文書データ取得工程と、
スキャンチケット生成要求手段が、前記文書データ取得工程で取得した文書データの印刷後の文書の送信先を示す送信先情報を取得可能である場合に、前記管理サーバにおいて前記送信先情報の示す送信先を含むスキャンチケットを生成させるべく、当該スキャンチケットの生成を要求するスキャンチケット生成要求工程と、
第１の表示制御手段が、前記管理サーバより取得した前記スキャンチケットを画面表示部に表示する第１の表示制御工程と、
操作指示受付手段が、前記第１の表示制御工程により画面表示部に表示されたスキャンチケットの選択による紙文書の読取処理を実行する操作を受け付ける操作指示受付工程と、
送信手段が、前記操作指示受付工程により選択されたスキャンチケットの内容に基づいて紙文書の読取処理を行い、当該スキャンチケットに含まれる送信先に基づいて、前記読取処理により取得した画像データを送信先へ送信する送信工程と
を含み、
前記スキャンチケット生成要求工程は、前記送信先情報を少なくとも含む、スキャンチケットを生成するためのデータであるスキャンチケット生成データが、前記文書データ取得工程で取得した文書データに紐付いている場合に、前記管理サーバに対して当該スキャンチケット生成データに含まれる前記送信先情報の示す送信先を含むスキャンチケットの生成を要求することを特徴とする画像形成装置の制御方法。
【請求項９】
紙文書の読取処理を行うための指示内容と、読み取った紙文書のデータを送信する送信先が定義されているスキャンチケットを、画像形成装置からの生成要求に応じて生成するスキャンチケット生成手段を備える前記スキャンチケットを管理する管理サーバと通信可能な、画面表示部を備える画像形成装置で実行が可能なプログラムであって、
前記画像形成装置を、
文書データを取得する文書データ取得手段と、
前記文書データ取得手段で取得した文書データの印刷後の文書の送信先を示す送信先情報を取得可能である場合に、前記管理サーバにおいて前記送信先情報の示す送信先を含むスキャンチケットを生成させるべく、当該スキャンチケットの生成を要求するスキャンチケット生成要求手段と、
前記管理サーバより取得した前記スキャンチケットを画面表示部に表示する第１の表示制御手段と、
前記第１の表示制御手段により画面表示部に表示されたスキャンチケットの選択による紙文書の読取処理を実行する操作を受け付ける操作指示受付手段と、
前記操作指示受付手段により選択されたスキャンチケットの内容に基づいて紙文書の読取処理を行い、当該スキャンチケットに含まれる送信先に基づいて、前記読取処理により取得した画像データを送信先へ送信する送信手段として機能させ、
前記スキャンチケット生成要求手段は、前記送信先情報を少なくとも含む、スキャンチケットを生成するためのデータであるスキャンチケット生成データが、前記文書データ取得手段で取得した文書データに紐付いている場合に、前記管理サーバに対して当該スキャンチケット生成データに含まれる前記送信先情報の示す送信先を含むスキャンチケットの生成を要求することを特徴とする画像形成装置のプログラム。
【請求項１０】
紙文書の読取処理を行うための指示内容と、読み取った紙文書のデータを送信する送信
先が定義されているスキャンチケットを管理する管理サーバと、画像形成装置とを含む画
像形成システムであって、
前記画像形成装置の、
文書データ取得手段が、文書データを取得する文書データ取得工程と、
スキャンチケット生成要求手段が、前記文書データ取得工程で取得した文書データの印刷後の文書の送信先を示す送信先情報を取得可能である場合に、前記管理サーバにおいて前記送信先情報の示す送信先を含むスキャンチケットを生成させるべく、当該スキャンチケットの生成を要求するスキャンチケット生成要求工程と、
第１の表示制御手段が、前記管理サーバより取得した前記スキャンチケットを画面表示部に表示する第１の表示制御工程と、
操作指示受付手段が、前記第１の表示制御工程により画面表示部に表示されたスキャンチケットの選択による紙文書の読取処理を実行する操作を受け付ける操作指示受付工程と、
送信手段が、前記操作指示受付工程により選択されたスキャンチケットの内容に基づいて紙文書の読取処理を行い、当該スキャンチケットに含まれる送信先に基づいて、前記読取処理により取得した画像データを送信先へ送信する送信工程と
を含み、
前記スキャンチケット生成要求工程は、前記送信先情報を少なくとも含む、スキャンチケットを生成するためのデータであるスキャンチケット生成データが、前記文書データ取得工程で取得した文書データに紐付いている場合に、前記管理サーバに対して当該スキャンチケット生成データに含まれる前記送信先情報の示す送信先を含むスキャンチケットの生成を要求することを特徴とし、
前記管理サーバの、
スキャンチケット生成手段が、前記画像形成装置からの生成要求に応じて、前記スキャンチケットを生成するスキャンチケット生成工程と、
スキャンチケット送信手段が、前記生成工程で生成したスキャンチケットを、前記画像形成装置に取得させるべく送信するスキャンチケット送信工程と、
を含むことを特徴とする画像形成システムの制御方法。
【請求項１１】
紙文書の読取処理を行うための指示内容と、読み取った紙文書のデータを送信する送信
先が定義されているスキャンチケットを管理する管理サーバと、画像形成装置とを含む画
像形成システムで実行が可能なプログラムであって、
前記画像形成装置を、
文書データを取得する文書データ取得手段と、
前記文書データ取得手段で取得した文書データの印刷後の文書の送信先を示す送信先情報を取得可能である場合に、前記管理サーバにおいて前記送信先情報の示す送信先を含むスキャンチケットを生成させるべく、当該スキャンチケットの生成を要求するスキャンチケット生成要求手段と、
前記管理サーバより取得した前記スキャンチケットを画面表示部に表示する第１の表示制御手段と、
前記第１の表示制御手段により画面表示部に表示されたスキャンチケットの選択による紙文書の読取処理を実行する操作を受け付ける操作指示受付手段と、
前記操作指示受付手段により選択されたスキャンチケットの内容に基づいて紙文書の読取処理を行い、当該スキャンチケットに含まれる送信先に基づいて、前記読取処理により取得した画像データを送信先へ送信する送信手段として機能させ、
前記スキャンチケット生成要求手段は、前記送信先情報を少なくとも含む、スキャンチケットを生成するためのデータであるスキャンチケット生成データが、前記文書データ取得手段で取得した文書データに紐付いている場合に、前記管理サーバに対して当該スキャンチケット生成データに含まれる前記送信先情報の示す送信先を含むスキャンチケットの生成を要求することを特徴とし、
前記管理サーバを、
前記画像形成装置からの生成要求に応じて、前記スキャンチケットを生成するスキャンチケット生成手段と、
前記生成手段で生成したスキャンチケットを、前記画像形成装置に取得させるべく送信するスキャンチケット送信手段として機能させることを特徴とする画像形成システムのプログラム。
【請求項１２】
紙文書の読取処理を行うための指示内容と、読み取った紙文書のデータを送信する送信先が定義されているスキャンチケットを、画像形成装置からの生成要求に応じて生成するスキャンチケット生成工程を備える前記スキャンチケットを管理する管理サーバと通信可能な、画面表示部を備える画像形成装置であって、
前記画像形成装置の文書データ取得手段が、文書データを取得する文書データ取得工程
スキャンチケット生成要求手段が、前記文書データ取得工程で取得した文書データの印刷後の文書の送信先を示す送信先情報を取得可能である場合に、前記管理サーバにおいて前記送信先情報の示す送信先を含むスキャンチケットを生成させるべく、当該スキャンチケットの生成を要求するスキャンチケット生成要求工程と、
第１の表示制御手段が、前記管理サーバより取得した前記スキャンチケットを画面表示部に表示する第１の表示制御工程と、
操作指示受付手段が、前記第１の表示制御工程により画面表示部に表示されたスキャンチケットの選択による紙文書の読取処理を実行する操作を受け付ける操作指示受付工程と、
送信手段が、前記操作指示受付工程により選択されたスキャンチケットの内容に基づいて紙文書の読取処理を行い、当該スキャンチケットに含まれる送信先に基づいて、前記読取処理により取得した画像データを送信先へ送信する送信工程と
を含み、
前記スキャンチケット生成要求工程は、前記文書データの文字情報に前記送信先を示す送信先情報が含まれる場合、前記管理サーバに対して当該文字情報に含まれる前記送信先情報の示す送信先を含むスキャンチケットの生成を要求することを特徴とする画像形成装置の制御方法。
【請求項１３】
紙文書の読取処理を行うための指示内容と、読み取った紙文書のデータを送信する送信先が定義されているスキャンチケットを、画像形成装置からの生成要求に応じて生成するスキャンチケット生成手段を備える前記スキャンチケットを管理する管理サーバと通信可能な、画面表示部を備える画像形成装置で実行が可能なプログラムであって、
前記画像形成装置を、
文書データを取得する文書データ取得手段と、
前記文書データ取得手段で取得した文書データの印刷後の文書の送信先を示す送信先情報を取得可能である場合に、前記管理サーバにおいて前記送信先情報の示す送信先を含むスキャンチケットを生成させるべく、当該スキャンチケットの生成を要求するスキャンチケット生成要求手段と、
前記管理サーバより取得した前記スキャンチケットを画面表示部に表示する第１の表示制御手段と、
前記第１の表示制御手段により画面表示部に表示されたスキャンチケットの選択による紙文書の読取処理を実行する操作を受け付ける操作指示受付手段と、
前記操作指示受付手段により選択されたスキャンチケットの内容に基づいて紙文書の読取処理を行い、当該スキャンチケットに含まれる送信先に基づいて、前記読取処理により取得した画像データを送信先へ送信する送信手段として機能させ、
前記スキャンチケット生成要求手段は、前記文書データの文字情報に前記送信先を示す送信先情報が含まれる場合、前記管理サーバに対して当該文字情報に含まれる前記送信先情報の示す送信先を含むスキャンチケットの生成を要求することを特徴とする画像形成装置のプログラム。
【請求項１４】
紙文書の読取処理を行うための指示内容と、読み取った紙文書のデータを送信する送信
先が定義されているスキャンチケットを管理する管理サーバと、画像形成装置とを含む画
像形成システムの制御方法であって、
前記画像形成装置の、
文書データ取得手段が、文書データを取得する文書データ取得工程と、
スキャンチケット生成要求手段が、前記文書データ取得工程で取得した文書データの印刷後の文書の送信先を示す送信先情報を取得可能である場合に、前記管理サーバにおいて前記送信先情報の示す送信先を含むスキャンチケットを生成させるべく、当該スキャンチケットの生成を要求するスキャンチケット生成要求工程と、
第１の表示制御手段が、前記管理サーバより取得した前記スキャンチケットを画面表示部に表示する第１の表示制御工程と、
操作指示受付手段が、前記第１の表示制御工程により画面表示部に表示されたスキャンチケットの選択による紙文書の読取処理を実行する操作を受け付ける操作指示受付工程と、
送信手段が、前記操作指示受付工程により選択されたスキャンチケットの内容に基づいて紙文書の読取処理を行い、当該スキャンチケットに含まれる送信先に基づいて、前記読取処理により取得した画像データを送信先へ送信する送信工程と
を含み、
前記スキャンチケット生成要求工程は、前記文書データの文字情報に前記送信先を示す送信先情報が含まれる場合、前記管理サーバに対して当該文字情報に含まれる前記送信先情報の示す送信先を含むスキャンチケットの生成を要求することを特徴とし、
前記管理サーバの、
スキャンチケット生成手段が、前記画像形成装置からの生成要求に応じて、前記スキャンチケットを生成するスキャンチケット生成工程と、
スキャンチケット送信手段が、前記生成工程で生成したスキャンチケットを、前記画像形成装置に取得させるべく送信するスキャンチケット送信工程と、
を備えることを特徴とする画像形成システムの制御方法。
【請求項１５】
紙文書の読取処理を行うための指示内容と、読み取った紙文書のデータを送信する送信
先が定義されているスキャンチケットを管理する管理サーバと、画像形成装置とを含む画
像形成システムで実行が可能なプログラムであって、
前記画像形成装置を、
文書データを取得する文書データ取得手段と、
前記文書データ取得手段で取得した文書データの印刷後の文書の送信先を示す送信先情報を取得可能である場合に、前記管理サーバにおいて前記送信先情報の示す送信先を含むスキャンチケットを生成させるべく、当該スキャンチケットの生成を要求するスキャンチケット生成要求手段と、
前記管理サーバより取得した前記スキャンチケットを画面表示部に表示する第１の表示制御手段と、
前記第１の表示制御手段により画面表示部に表示されたスキャンチケットの選択による紙文書の読取処理を実行する操作を受け付ける操作指示受付手段と、
前記操作指示受付手段により選択されたスキャンチケットの内容に基づいて紙文書の読取処理を行い、当該スキャンチケットに含まれる送信先に基づいて、前記読取処理により取得した画像データを送信先へ送信する送信手段として機能させ、
前記スキャンチケット生成要求手段は、前記文書データの文字情報に前記送信先を示す送信先情報が含まれる場合、前記管理サーバに対して当該文字情報に含まれる前記送信先情報の示す送信先を含むスキャンチケットの生成を要求することを特徴とし、
前記管理サーバを、
前記画像形成装置からの生成要求に応じて、前記スキャンチケットを生成するスキャンチケット生成手段と、
前記生成手段で生成したスキャンチケットを、前記画像形成装置に取得させるべく送信するスキャンチケット送信手段として機能させることを特徴とする画像形成システムのプログラム。
【発明の詳細な説明】
【技術分野】
【０００１】
本発明は、文書毎に提出・送信すべき送信先が異なる文書データを取得する場合に、文書データ毎に送信先を取得し、適切な送信先を含むスキャンチケットを容易に生成させるための技術に関する。
【背景技術】
【０００２】
現在、ファクシミリ等を使用して商品の発注を行うことが広く行われている。ファクシミリを使用して商品の発注をする場合には、注文者は、注文用紙を印刷し、印刷した注文用紙に氏名、届け先、発注商品、発注数など必要事項を記入し、業者に送信することにより注文を行うことになる。
【０００３】
ファクシミリを用いた商品の発注に関する技術として、例えば、特許文献１に開示されている技術がある。特許文献１で開示されている技術は、商品の販売者が、商品の発注者よりファクシミリで送信された注文書の文字認識処理の誤りを早期に摘出可能にすることで、商品の販売者の業務効率の向上を図るものである。
【先行技術文献】
【特許文献】
【０００４】
【特許文献１】特開２００２−９２４２７号公報
【発明の概要】
【発明が解決しようとする課題】
【０００５】
しかしながら、特許文献１に記載されている発明は、商品の販売者の効率に関しては考慮されているが、商品の発注者の処理の効率化、ミスの防止などには何ら触れられていない。例えば、商品の発注者がファクシミリ番号の入力を間違えてしまった場合などについては何ら触れられていない。
【０００６】
このようなミスが発生してしまった場合には、商品の発注者は商品の発注が完了したと誤解してしまうこともあり、必要な商品を必要な時に納入できない事態などが生じてしまう怖れがある。
【０００７】
本発明の目的は、文書毎に提出・送信すべき送信先が異なる文書データを取得する場合に、文書データ毎に送信先を取得し、適切な送信先を含むスキャンチケットを容易に生成させる仕組みを提供することである。
【課題を解決するための手段】
【０００８】
本発明の画像形成装置は、紙文書の読取処理を行うための指示内容と、読み取った紙文書のデータを送信する送信先が定義されているスキャンチケットを、画像形成装置からの生成要求に応じて生成するスキャンチケット生成手段を備える前記スキャンチケットを管理する管理サーバと通信可能な、画面表示部を備える画像形成装置であって、文書データを取得する文書データ取得手段と、前記文書データ取得手段で取得した文書データの印刷後の文書の送信先を示す送信先情報を取得可能である場合に、前記管理サーバにおいて前記送信先情報の示す送信先を含むスキャンチケットを生成させるべく、当該スキャンチケットの生成を要求するスキャンチケット生成要求手段と、前記管理サーバより取得した前記スキャンチケットを画面表示部に表示する第１の表示制御手段と、前記第１の表示制御手段により画面表示部に表示されたスキャンチケットの選択による紙文書の読取処理を実行する操作を受け付ける操作指示受付手段と、前記操作指示受付手段により選択されたスキャンチケットの内容に基づいて紙文書の読取処理を行い、当該スキャンチケットに含まれる送信先に基づいて、前記読取処理により取得した画像データを送信先へ送信する送信手段とを備え、前記スキャンチケット生成要求手段は、前記送信先情報を少なくとも含む、スキャンチケットを生成するためのデータであるスキャンチケット生成データが、前記文書データ取得手段で取得した文書データに紐付いている場合に、前記管理サーバに対して当該スキャンチケット生成データに含まれる前記送信先情報の示す送信先を含むスキャンチケットの生成を要求することを特徴とする。
また、本発明の画像形成装置は、紙文書の読取処理を行うための指示内容と、読み取った紙文書のデータを送信する送信先が定義されているスキャンチケットを、画像形成装置からの生成要求に応じて生成するスキャンチケット生成手段を備える前記スキャンチケットを管理する管理サーバと通信可能な、画面表示部を備える画像形成装置であって、文書データを取得する文書データ取得手段と、前記文書データ取得手段で取得した文書データの印刷後の文書の送信先を示す送信先情報を取得可能である場合に、前記管理サーバにおいて前記送信先情報の示す送信先を含むスキャンチケットを生成させるべく、当該スキャンチケットの生成を要求するスキャンチケット生成要求手段と、前記管理サーバより取得した前記スキャンチケットを画面表示部に表示する第１の表示制御手段と、前記第１の表示制御手段により画面表示部に表示されたスキャンチケットの選択による紙文書の読取処理を実行する操作を受け付ける操作指示受付手段と、前記操作指示受付手段により選択されたスキャンチケットの内容に基づいて紙文書の読取処理を行い、当該スキャンチケットに含まれる送信先に基づいて、前記読取処理により取得した画像データを送信先へ送信する送信手段とを備え、前記スキャンチケット生成要求手段は、前記文書データの文字情報に前記送信先を示す送信先情報が含まれる場合、前記管理サーバに対して当該文字情報に含まれる前記送信先情報の示す送信先を含むスキャンチケットの生成を要求することを特徴とする。
【発明の効果】
【０００９】
本発明によれば、文書毎に提出・送信すべき送信先が異なる文書データを取得する場合に、文書データ毎に送信先を取得し、適切な送信先を含むスキャンチケットを容易に生成させることができる。
【図面の簡単な説明】
【００１０】
【図１】本発明の画像形成システムのシステム構成の一例を示す構成図である。
【図２】図１の認証サーバ２００、ウェブサーバ３００、スキャンチケットサーバ４００のハードウエアの構成の一例を示す図である。
【図３】図１の複合機１００のハードウエア構成の一例を示す図である。
【図４】本発明の画像形成システムの機能構成の一例を示す構成図である。
【図５】複合機１００のＣＰＵ３００１によって行われる、ユーザ認証（ログイン）からスキャンチケット生成要求処理までの処理の一例を示すフローチャートである。
【図６】スキャンチケットサーバ４００のＣＰＵ２００１によって行われる、スキャンチケット生成処理の一例を示すフローチャートである。
【図７】複合機１００のＣＰＵ３００１によって行われる、スキャンチケットを利用した文書データの送信処理の一例を示すフローチャートである。
【図８】図７のステップＳ７０６のスキャンチケットの一覧表示処理の詳細を示すフローチャートである。
【図９】図５のステップＳ５０１、図７のステップＳ７０１のログイン処理の詳細を示すフローチャートである。
【図１０】図５のステップＳ５２０のスキャンチケットの手動生成要求処理の詳細を示すフローチャートである。
【図１１】スキャンチケットサーバ４００のＣＰＵ２００１によって行われる、スキャンチケット削除処理の一例を示すフローチャートである。
【図１２】複合機１００の操作部３０３０に表示される、メニュー画面の一例を示す図である。
【図１３】複合機１００の操作部３０３０に表示される、ウェブページ画面の一例を示す図である。
【図１４】複合機１００の操作部３０３０に表示される、スキャンチケット生成指示受付画面の一例を示す図である。
【図１５】複合機１００の操作部３０３０に表示される、スキャンチケット一覧画面の一例を示す図である。
【図１６】複合機１００の操作部３０３０に表示される、スキャンチケット利用画面の一例を示す図である。
【図１７】複合機１００の操作部３０３０に表示される、スキャンチケット詳細表示画面の一例を示す図である。
【図１８】認証サーバ２００の外部メモリ２０１１に記憶されるユーザ情報１８００の一例を示す図である。
【図１９】スキャンチケットサーバ４００の外部メモリ２０１１に記憶される、スキャンチケット１９００の一例を示す図である。
【図２０】スキャンチケットサーバ４００の外部メモリ２０１１に記憶される、送信先情報２０５０の一例を示す図である。
【発明を実施するための形態】
【００１１】
以下、添付図面を参照しながら、本発明に係る画像形成システムの好適な実施体系につき詳細に説明する。図１は本発明に係る画像形成システムの構成の一例を示す図である。
【００１２】
図１に示すように、本発明の画像形成システムは、１または複数の複合機１００、認証サーバ２００、ウェブサーバ３００、スキャンチケットサーバ４００を備えている。複合機１００は、プリンタ、スキャナ、コピー、ファクシミリ等の機能を有する画像形成装置である。
【００１３】
認証サーバ２００は複合機１００からの要求に応じて、認証情報を複合機１００に送信する装置である。
【００１４】
ウェブサーバ３００は広域ネットワーク２０を介して複合機１００と通信することが可能な装置であり複合機１００からの要求に応じて各種のデータを複合機１００に送信する。複合機１００は必要に応じてウェブサーバ３００から受信したデータに基づく表示を後述する操作部３０３０に行う。
【００１５】
スキャンチケットサーバ４００は、複合機１００からスキャンチケットの生成要求を受け付け、スキャンチケットを生成する機能を有する。また、スキャンチケットサーバ４００は、複合機１００からの要求に応じてスキャンチケットの一覧の生成、スキャンチケットの削除等の処理を行う。
【００１６】
なお、複合機１００が認証サーバ２００やスキャンチケットサーバ４００の機能を備える構成にしても構わないし、認証サーバ２００とスキャンチケットサーバ４００を１台の情報処理装置で構成しても勿論構わない。
【００１７】
次に、図２、図３を参照しながら、複合機１００、認証サーバ２００、ウェブサーバ３００、スキャンチケットサーバ４００について説明する。図２は認証サーバ２００、ウェブサーバ３００、スキャンチケットサーバ４００のハードウエア構成を示す図、図３は複合機１００のハードウエア構成を示す図である。
【００１８】
図２に示すように、認証サーバ２００、ウェブサーバ３００、スキャンチケットサーバ４００では、システムバス２００４を介してＣＰＵ（Ｃｅｎｔｒａｌ  Ｐｒｏｃｅｓｓｉｎｇ  Ｕｎｉｔ）２００１、ＲＡＭ（Ｒａｎｄｏｍ  Ａｃｃｅｓｓ  Ｍｅｍｏｒｙ）２００２、ＲＯＭ（Ｒｅａｄ  Ｏｎｌｙ  Ｍｅｍｏｒｙ）２００３、入力コントローラ２００５、ビデオコントローラ２００６、メモリコントローラ２００７、通信Ｉ／Ｆコントローラ２００８が接続される。
【００１９】
ＣＰＵ２００１は、システムバス２００４に接続される各デバイスやコントローラを統括的に制御する。
【００２０】
ＲＯＭ２００３あるいは外部メモリ２０１１は、ＣＰＵ２００１の制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）や、各サーバあるいが実行する各種プログラム等を保持している。
【００２１】
ＲＡＭ２００２は、ＣＰＵ２００１の主メモリ、ワークエリア等として機能する。ＣＰＵ２００１は、処理の実行に際して必要なプログラム等をＲＯＭ２００３あるいは外部メモリ２０１１からＲＡＭ２００２にロードし、ロードしたプログラムを実行することで各種動作を実現する。
【００２２】
入力コントローラ２００５は、キーボード（ＫＢ）２００９やマウス（不図示）等のポインティングデバイス等からの入力を制御する。
【００２３】
ビデオコントローラ２００６は、ＣＲＴ（Ｃａｔｈｏｄｅ  Ｒａｙ  Ｔｕｂｅ）２０１０等の表示器への表示を制御する。表示器はＣＲＴに限らず、液晶ディスプレイ等の他の表示器でもよい。
【００２４】
メモリコントローラ２００７は、ブートプログラム、各種のアプリケーション、フォントデータ、ユーザファイル、編集ファイル、各種データ等を記憶するハードディスク（Ｈ
Ｄ）や、フレキシブルディスク（ＦＤ）、あるいは、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードスロットにアダプタを介して接続されるコンパクトフラッシュ（登録商標）メモリ、ＳＳＤ（Ｓｏｌｉｄ  Ｓｔａｔｅ  Ｄｒｉｖｅ）等の外部メモリ２０１１へのアクセスを制御する。
【００２５】
通信Ｉ／Ｆコントローラ２００８は、図１のＬＡＮ１０のようなネットワークを介して外部機器と接続・通信し、ネットワーク上での通信制御処理を実行する。通信Ｉ／Ｆコントローラ２００８は、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、ＵＤＰ（Ｕｓｅｒ  Ｄａｔａｇｒａｍ  Ｐｒｏｔｏｃｏｌ）を用いた通信等が可能である。
【００２６】
ＣＰＵ２００１は、例えばＲＡＭ２００２内の表示情報用領域へアウトラインフォントの展開（ラスタライズ）処理を実行することにより、ＣＲＴ２０１０上に表示することが可能である。また、ＣＰＵ２００１は、ＣＲＴ２０１０上のマウスカーソル（不図示）等によるユーザ指示を可能とする。
【００２７】
認証サーバ２００、ウェブサーバ３００、スキャンチケットサーバ４００のＣＰＵ２００１を後述する各種の機能部として機能させるためのプログラムは、外部メモリ２０１１に記録されており、必要に応じてＲＡＭ２００２にロードされ、ＣＰＵ２００１により実行される。プログラムの実行時に用いられる定義ファイル及び各種情報テーブル等は、外部メモリ２０１１に格納されている。
【００２８】
例えば、認証サーバ２００の外部メモリ２０１１には、複合機１００からの要請に応じて、複合機１００にログインするユーザのカードＩＤから該ユーザを特定する為に用いるユーザ情報が記憶されている。  
【００２９】
ウェブサーバ３００の外部メモリ２０１１には複合機１００から受け付けたアクセス要求に従って印刷される文書データ、前記文書に紐づいた前記文書データの送信先、前記送信先を含んだスキャンチケット生成データが記憶されている。
【００３０】
また、スキャンチケットサーバ４００の外部メモリ２０１１には、紙文書のスキャンを実行するための指示内容であるスキャン設定、前記スキャン設定に基づいてスキャンし、生成された文書データの送信先の情報が定義されているスキャンチケットを生成し、スキャンチケットの情報を複合機１００に送信するプログラムが記憶されている。以上が図２の、認証サーバ２００、ウェブサーバ３００、スキャンチケットサーバ４００のハードウエア構成の一例についての説明である。
【００３１】
次に、図３を参照して、複合機１００のハードウエア構成について説明する。図３に示すように、複合機１００は、コントローラユニット３０２０と、操作部３０３０と、カードリーダ３０４０と、プリンタ３０５０と、スキャナ３０６０の各ハードウエア構成を有して構成されている。
【００３２】
また、コントローラユニット３０２０は、ＣＰＵ３００１と、ＲＡＭ（Ｒａｎｄａｍ  Ａｃｃｅｓｓ  Ｍｅｍｏｒｙ）３００２と、ＲＯＭ（Ｒｅａｄ  Ｏｎｌｙ  Ｍｅｍｏｒｙ）３００３と、ＨＤＤ（ハードディスクドライブ）３００４と、Ｎｅｔｗｏｒｋ  Ｉ／Ｆ（ネットワークインターフェース）３００５と、ＭＯＤＥＭ（変調装置）３００６と、操作部Ｉ／Ｆ（操作部インターフェース）３００７と、ＩＭＡＧＥ  ＢＵＳ  Ｉ／Ｆ（イメージバスインターフェース）３００８と、外部Ｉ／Ｆ（外部インターフェース）３００９と、システムバス３０１０と、ＲＩＰ（Ｒａｓｔｅｒ  Ｉｍａｇｅ  Ｐｒｏｃｅｓｓｏｒ）３０１１と、プリンタＩ／Ｆ（プリンタインターフェース）３０１２と、スキャナＩ／Ｆ（スキャナインターフェース）３０１３と、画像処理部３０１４と、画像バス３０１５の各ハードウエア構成を有して構成されている。
【００３３】
コントローラユニット３０２０は、画像入力装置として機能するスキャナ３０６０や、画像出力装置として機能するプリンタ３０５０と接続する一方、図１におけるＬＡＮ（ローカルエリアネットワーク）１０や、例えばＰＳＴＮ（Ｐｕｂｌｉｃ  Ｓｗｉｔｃｈｅｄ  Ｔｅｌｅｐｈｏｎｅ  Ｎｅｔｗｏｒｋ）またはＩＳＤＮ（Ｉｎｔｅｇｒａｔｅｄ  Ｓｅｒｖｉｃｅｓ  Ｄｉｇｉｔａｌ  Ｎｅｔｗｏｒｋ）等のＷＡＮ（公衆回線）と接続することで、画像データやデバイス情報の入出力を行う。
【００３４】
ＣＰＵ３００１は、システムバス３０１０及び画像バス３０１５に接続される各デバイスを統括的に制御するプロセッサである。
【００３５】
ＲＡＭ３００２は、ＣＰＵ３００１が動作するためのワークメモリであり、また、プログラムを記録するためのプログラムメモリや、画像データを一時記録するための画像メモリの機能も有する。例えば、カードリーダ３０４０で読み取ったカードＩＤなどが記憶される。
【００３６】
ＲＯＭ３００３は、システムのブートプログラムや各種の制御プログラムが格納されている。ＨＤＤ３００４は、システムを制御するための各種のプログラム及び画像データ等を格納する。なお、ＨＤＤ３００４は情報を永続的に記憶するための媒体であって、その形態をＨＤＤに限定するものではない。例えば、ＳＳＤ（Ｓｏｌｉｄ  Ｓｔａｔｅ  Ｄｒｉｖｅ）などの媒体であってもよい。
【００３７】
Ｎｅｔｗｏｒｋ  Ｉ／Ｆ３００５は、ＬＡＮに接続し、データ入出力を行う。ＭＯＤＥＭ３００６は、公衆回線網に接続し、ＦＡＸにおける送受信等のデータの入出力を行う。
【００３８】
操作部Ｉ／Ｆ３００７は、ユーザインタフェース（ＵＩ）である操作部３０３０におけるインタフェースであり、操作部３０３０に表示する画像データを操作部３０３０に対して出力する。また、操作部Ｉ／Ｆ３００７は、本システムのユーザが操作部３０３０から入力した情報（例えば、ユーザ情報等）をＣＰＵ３００１に伝える役割をする。
【００３９】
なお、操作部３０３０は、キーボードに相当するタッチパネル機能を備え、該表示部に表示されたボタンがユーザにより押下されることで、複合機に対する各種指示を行うことが
可能である。
【００４０】
ＩＭＡＧＥ  ＢＵＳ  Ｉ／Ｆ３００８は、システムバス３０１０と、画像データを高速で転送する画像バス３０１５とを接続し、データ構造を変換するバスブリッジである。
【００４１】
外部Ｉ／Ｆ３００９は、ＵＳＢ、ＩＥＥＥ１３９４、プリンタポート、ＲＳ−２３２Ｃ等の外部入力を受け付けるインタフェースである。本発明における実施体系では、外部Ｉ／Ｆ３００９は、ＩＣカードにてユーザ認証を行う為のＩＣカード情報を読み取るカードリーダ３０４０が接続されている。また、ＣＰＵ３００１は、前記外部Ｉ／Ｆ３００９を介して前記カードリーダからの情報の読み取りを制御し、該ＩＣカードから前記認証の為の情報を取得することが可能である。以上の３００１〜３００９に示すデバイスがシステムバス３０１０上に配置され、相互に通信可能となっている。
【００４２】
ＲＩＰ３０１１は、例えば、ＰＤＬコード等のベクトルデータをビットマップイメージに展開する。
【００４３】
プリンタＩ／Ｆ３０１２は、プリンタ３０５０とコントローラユニット３０２０とを接続し、画像データの同期系／非同期系の変換を行う。
【００４４】
スキャナＩ／Ｆ３０１３は、スキャナ３０６０とコントローラユニット３０２０とを接続し、画像データの同期系／非同期系の変換を行う。
【００４５】
画像処理部３０１４は、入力画像データに対して、補正処理、加工処理、編集処理を行ったり、プリント出力画像データに対して、プリンタの補正処理、解像度変換処理等を行ったりする。また、画像処理部３０１４は、これらの処理に加えて、画像データの回転処理や、多値画像データに対してはＪＰＥＧ（Ｊｏｉｎｔ  Ｐｈｏｔｏｇｒａｐｈｉｃ  Ｅｘｐｅｒｔｓ  Ｇｒｏｕｐ）、２値画像データに対してはＪＢＩＧ（Ｊｏｉｎｔ  Ｂｉｌｅｖｅｌ  Ｉｍａｇｅ  ｅｘｐｅｒｔｓ  Ｇｒｏｕｐ）、ＭＲ（Ｍｏｄｉｆｉｅｄ  ＲＥＡＤ）、ＭＭＲ（Ｍｏｄｉｆｉｅｄ  Ｍｏｄｉｆｉｅｄ  ＲＥＡＤ）、ＭＨ（Ｍｏｄｉｆｉｅｄ  Ｈｕｆｆｍａｎ）等の圧縮伸張処理を行う。以上の３００８、３０１１〜３０１４に示すデバイスが画像バス３０１５上に配置され、相互に通信可能となっている。画像バス３０１５は、例えば、ＰＣＩ（Ｐｅｒｉｐｈｅｒａｌ  Ｃｏｍｐｏｎｅｎｔ  Ｉｎｔｅｒｃｏｎｎｅｃｔ）バスまたはＩＥＥＥ１３９４で構成されている。
【００４６】
操作部３０３０は、具体的に、ＬＣＤ（Ｌｉｑｕｉｄ  Ｃｒｙｓｔａｌ  Ｄｉｓｐｌａｙ）表示部を有し、当該ＬＣＤ表示部上にタッチパネルシートが貼られており、本システムの操作画面を表示するとともに、表示した操作画面のキー（ボタン）が押されると、その位置情報が操作部Ｉ／Ｆ３００７を介してＣＰＵ３００１に伝えられる。また、操作部３０３０は、各種の操作キーとして、例えば、スタートキー、ストップキー、ＩＤキー、リセットキー等のキーボード機能を備える。
【００４７】
ここで、操作部３０３０のスタートキーは、例えば、原稿画像の読み取り動作を開始する際などに操作される。このスタートキーの中央部には、例えば、緑と赤の２色のＬＥＤ（Ｌｉｇｈｔ  Ｅｍｉｔｔｉｎｇ  Ｄｉｏｄｅ）があり、その各色の発光によってスタートキーが使える状態にあるかどうかが示される。また、操作部３０３０のストップキーは、例えば、稼働中の動作を止める際などに操作される。また、操作部３０３０のＩＤキーは、例えば、ユーザ（使用者）のユーザＩＤを入力する際などに操作される。また、操作部３０３０のリセットキーは、例えば、操作部３０３０による設定を初期化する際などに操作される。
【００４８】
カードリーダ３０４０は、ＣＰＵ３００１からの制御により、認証カードに相当するＩＣカード（例えば、ソニー社のフェリカ（ＦｅｌｉＣａ）（登録商標））内に記憶されているユーザ識別情報を読み取るものである。カードリーダ３０４０で読み取られたユーザ識別情報は、外部Ｉ／Ｆ３００９を介してＣＰＵ３００１へ通知される。
【００４９】
プリンタ３０５０は、例えば、ラスタイメージデータを用紙上に画像として変換するものである。その変換方式としては、感光体ドラムや感光体ベルトを用いた電子写真方式や、微少ノズルアレイからインクを吐出して用紙上に直接画像を印字するインクジェット方式等があるが、どの変換方式を用いても構わない。プリンタ３０５０のプリント動作の起動は、ＣＰＵ３００１からの指示によって開始される。なお、プリンタ３０５０には、異なる用紙のサイズまたは異なる用紙の向きを選択できるように複数の給紙段が構成されており、それぞれの給紙段に対応した用紙カセットが設けられている。
【００５０】
スキャナ３０６０は、原稿となる紙上の画像を照明し、ＣＣＤ（Ｃｈａｒｇｅ  Ｃｏｕｐｌｅｄ  Ｄｅｖｉｃｅ）ラインセンサを用いて原稿を走査することで、原稿の画像をラスタイメージデータとして電気信号に変換する。原稿用紙は原稿フィーダのトレイにセットされ、複合機１００のユーザが操作部３０３０から読み取り起動指示を行うことにより、ＣＰＵ３００１がスキャナ３０６０に指示を与え、フィーダは、原稿用紙を１枚ずつフィードして原稿の画像の読み取り動作を行う。以上が図３の、複合機１００のハードウエア構成の一例についての説明である。
【００５１】
以上のような構成によって、複合機１００は、スキャナ３０６０から読み込んだ画像データをＬＡＮ上に送信したり、受信した印刷データをプリンタ３０５０で印刷出力したりすることができる。また、複合機１００は、スキャナ３０６０から読み込んだ画像データをＭＯＤＥＭ３００６から公衆回線網上にＦＡＸ送信したり、公衆回線網からＦＡＸ受信した画像データをプリンタ３０５０で印刷出力したりすることができる。  
【００５２】
次に、図４を参照して、画像形成システムの機能について説明する。図４は、本発明に係る画像形成システムの機能構成を示すブロック図である。図４を用いて、本実施形態の各装置の機能について説明する。まず、複合機１００が後述する各種の処理を実行するために備えている機能部について説明する。
【００５３】
複合機１００は、ログイン部１１１、認証情報取得部１１２、ブラウザ接続部１１３、データ取得部１１４、印刷部１１５、スキャンチケット処理実行部１１６、スキャン部１１７、ＦＡＸ部１１８、ファイル送信部１１９、認証情報一時記憶部１２０等を備えている。
【００５４】
ログイン部１１１は、ユーザからの複合機１００へのログインを受け付ける機能を有する。ユーザ情報１８００（図１８を参照して後述）をログインユーザ情報として一時的に複合機１００内の認証情報一時記憶部１２０に格納する。
【００５５】
認証情報取得部１１２は、ＩＣカードよりカード情報、認証サーバ２００よりユーザ情報を取得し、ユーザをログインさせる機能を有する。例えば、ユーザが不図示のカード認証画面が操作部３０３０に表示されている時にカードリーダ３０４０にＩＣカードがかざされることで、認証情報取得部１１２は、ＩＣカード中のカード情報を取得する。前記取得したカード情報を認証サーバ２００に送信し、認証サーバ２００のＣＰＵ２００１によって検出されたユーザ情報を取得する。その結果特定されるユーザのログイン処理をログイン部１１１は行うことになる。
【００５６】
ブラウザ接続部１１３は、複合機１００の操作部３０３０を介した操作であって、ユーザからのウェブブラウザボタン選択操作を受け付けることによりウェブブラウザを起動し、ウェブサーバ３００に接続する。
【００５７】
データ取得部１１４は、ウェブサーバ３００より、ウェブページを表示するためのデータ、文書データ、スキャンチケット生成データ等を取得する。
【００５８】
スキャンチケット処理実行部１１６は、スキャンチケットサーバ４００に対してスキャンチケット１９００（図１９を参照して後述）、送信先情報２０５０（図２０を参照して後述の生成・削除などを要求したり、スキャンチケット１９００のリストを表示するためのスキャンチケット一覧データの送信要求をしたりする。また、スキャンチケット１９００のスキャン設定に基づいて、スキャン部１１７にスキャン属性を設定する。
【００５９】
スキャン属性とは、例えば、スキャン部１１７がスキャンした文書のデータをどのようなファイル形式で生成するかというファイル形式の指定や、スキャン時のカラー設定、解像度、両面読取、読取濃度等を指定する情報である。
【００６０】
印刷部１１５は、複合機１００のプリンタ３０５０を制御するためのものである。ウェブサーバ３００より取得した文書データに含まれるＰＤＬをビットマップ画像に変換し、既知の印刷技術により用紙等のメディアに印刷を行う。
【００６１】
スキャン部１１７は、複合機１００のスキャナ３０６０を制御して、原稿となる紙上の画像を電子化し、任意の画像形式に変換して、任意の送信先、例えば注文書の発送先等に送信する機能を提供する。ファイル形式について、例えば、ＪＰＥＧ（Ｊｏｉｎｔ  Ｐｈｏｔｏｇｒａｐｈｉｃ  Ｅｘｐｅｒｔ  Ｇｒｏｕｐ）、ＴＩＦＦ（Ｔａｇｅｄ  Ｉｍａｇｅ  Ｆｉｌｅ  Ｆｏｒｍａｔ）、ＰＤＦ（Ｐｏｒｔａｂｌｅ  Ｄｏｃｕｍｅｎｔ  Ｆｏｒｍａ
ｔ）、ＸＰＳ（ＸＭＬ  Ｐａｐｅｒ  Ｓｐｅｃｉｆｉｃａｔｉｏｎ）、ＯＯＸＭＬ（Ｏｆｆｉｃｅ  Ｏｐｅｎ  ＸＭＬ）などがある。
【００６２】
ＦＡＸ部１１８は、スキャナ３０６０から読み込んだ画像データを、スキャンチケット１９００と紐付いた送信先２０５３に従って、ＭＯＤＥＭを介して公衆通信網上にＦＡＸする機能を有する。
【００６３】
ファイル送信部１１９は、ＳＭＢ（Ｓｅｒｖｅｒ  Ｍｅｓｓａｇｅ  Ｂｌｏｃｋ）、ＷｅｂＤＡＶ（Ｗｅｂ―ｂａｓｅｄ  Ｄｉｓｔｒｉｂｕｔｅｄ  Ａｕｔｈｏｒｉｎｇ  ａｎｄ  Ｖｅｒｓｉｏｎｉｎｇ）、ＦＴＰ（Ｆｉｌｅ  Ｔｒａｎｓｆｅｒ  Ｐｒｏｔｏｃｏｌ）などのプロトコルを用いて外部装置にファイル送信を行う。
【００６４】
認証情報一時記憶部１２０は、複合機１００のＲＡＭ３００２に一時的に格納される情報で、ＩＣカード等から取得したユーザ情報１８００を、複合機１００にログイン中のユーザがログアウトするまでの間、一時的に格納している。
【００６５】
次に、スキャンチケットサーバ４００が後述する各種の処理を実行するために備えている機能について説明する。スキャンチケットサーバ４００は、スキャンチケット生成部４１１、スキャンチケット管理部４１２、認証情報管理部４１３、スキャンチケット記憶部４１４、スキャンチケット送受信部４１５等を備えている。
【００６６】
スキャンチケット生成部４１１は、外部装置からの指示に基づいてスキャンチケット１９００、送信先情報２０５０、スキャンチケット一覧データの生成を行う。なお、本実施形態では、複合機１００がウェブサーバ３００より取得した文書データを印刷するタイミングで、複合機１００からスキャンチケットサーバ４００へスキャンチケット生成要求を行う構成として説明するが、不図示のクライアントＰＣ等からスキャンチケットサーバ４００にスキャンチケット生成要求を行うような構成にしてもよい。その場合、クライアントＰＣがウェブサーバ３００にアクセスすることにより得られる文書データに基づく印刷処理を複合機１００に対して指示する際に、クライアントＰＣからスキャンチケットサーバ４００へスキャンチケットの生成要求を行うように構成することになる。
【００６７】
スキャンチケット管理部４１２は、スキャンチケット１９００をスキャンチケット記憶部４１４に書き込んだり、スキャンチケット１９００の有効期限を書き換えたり、スキャンチケット１９００を削除したりする。
【００６８】
認証情報管理部４１３は、複合機１００より取得した、複合機１００にログイン中のユーザのカードＩＤ１８０１をログインユーザカードＩＤとして一時的に記憶し、スキャンチケットの変更または削除が完了するまで保持する。
【００６９】
スキャンチケット記憶部４１４は、スキャンチケット１９００、送信先情報２０５０を記憶している。
【００７０】
スキャンチケット送受信部４１５は、外部装置からの指示に基づいてスキャンチケット１９００を送信したり、受信したりする。
【００７１】
次に、認証サーバ２００の処理を実行するための機能について説明する。認証サーバ２００は、認証情報記憶部２１１、認証情報管理部２１２から構成される。
【００７２】
認証情報記憶部２１１は、認証サーバ２００の外部メモリ２０１１に格納される情報で、１または複数のユーザ情報１８００を格納している。
【００７３】
認証情報管理部２１２は、複合機１００から取得したカード情報からカードＩＤを取得し、ユーザ情報１８００から前記カードＩＤが一致するユーザ情報１８００を検出する。そして、検出したユーザ情報を複合機１００に送信する。なお、認証制御に関しては、認証サーバ２００で実施せずに、複合機１００等と同じ筐体で実施する形態であってもよい。
【００７４】
次に、ウェブサーバ３００の処理を実行するための機能について説明する。ウェブサーバ３００は、ウェブ情報記憶部３１１等によって構成される。ウェブ情報記憶部３１１には、ＵＲＬ情報、ＨＴＭＬ情報、文書データ等のデータがそれぞれ関連付いた状態で記憶されている。
【００７５】
具体的には、複合機１００の操作部３０３０を介したユーザからの操作を受け付けることによりＵＲＬ情報が特定された場合は、前記ＵＲＬに関連付いたＨＴＭＬ情報と文書データが、複合機１００の操作部３０３０に表示される。以上が図４の画像形成システムの機能の説明である。
【００７６】
次に、図５を参照しながら、本発明の画像形成システムの複合機１００によって行われる処理について説明する。図５は、複合機１００によって行われるスキャンチケット生成要求処理の詳細を示すフローチャートである。
【００７７】
複合機１００のＣＰＵ３００１は、カードリーダ３０４０にＩＣカードが翳されると、ＩＣカードに記憶されているカード情報を取得し、ユーザのログイン処理を行う（ステップＳ５０１）。ログイン処理の詳細については図９を参照して説明する。図９を参照して本発明の画像形成システムの複合機１００と認証サーバ２００によって行われるログイン処理の詳細について説明する。
【００７８】
複合機１００のＣＰＵ３００１は、カードリーダ３０４０に翳されたＩＣカードを検知すると（ステップＳ９０１）、当該ＩＣカードからカード情報を取得し（ステップＳ９０２）、認証サーバ２００に送信する（ステップＳ９０３）。
【００７９】
認証サーバ２００のＣＰＵ２００１は、複合機１００より前記カード情報を受信する（ステップＳ９０４）、認証サーバ２００の外部メモリ２０１１に記憶されたユーザ情報１８００（図１８）中のカードＩＤ１８０１に、複合機１００から受信したカード情報に含まれるカードＩＤと一致する情報が登録されているデータを検出し、ユーザ認証を行う（ステップＳ９０５）。そして、該カードＩＤを含むユーザ情報１８００を取得し、複合機１００へ送信する（ステップＳ９０６）。
【００８０】
複合機１００のＣＰＵ３００１は、前記ユーザ情報１８００を認証サーバ２００より受信する（ステップＳ９０７）。複合機１００のＣＰＵ３００１は、前記受信したユーザ情報１８００を、複合機１００の認証情報一時記憶部１２０の認証情報一時記憶機能によってＲＡＭ３００２に、前記ユーザのログアウトを受け付けるまでの間、一時的に記憶する（ステップＳ９０８）。そして、ユーザの複合機の利用を許可する。以上が図９の、本発明の画像形成システムの複合機１００と認証サーバ２００によって行われるログイン処理の詳細についての詳細な説明である。
【００８１】
ここで、図１８を参照して、認証サーバ２００の外部メモリ２０１１に記憶されているユーザ情報のデータ構成について説明する。図１８は、ユーザ情報１８００のデータ構成の一例を示す図である。図１８に示すように、ユーザ情報１８００はデータ項目として、カードＩＤ１８０１と、ユーザ名１８０２等を備えている。
【００８２】
カードＩＤ１８０１には、ＩＣカードを一意に識別するための識別情報が登録されている。
【００８３】
ユーザ名１８０２には、カードＩＤ１８０１に対応したユーザ名が登録される。以上が図１８のユーザ情報１８００の詳細な説明である。
【００８４】
図５の説明に戻る。ステップＳ５０１にてログイン処理を行った複合機１００のＣＰＵ３００１は、ステップＳ５０２に処理を移行する。
【００８５】
ステップＳ５０２では、複合機１００のＣＰＵ３００１は、操作部３０３０に、複合機１００のＲＡＭ３００２に記憶されたユーザ情報から特定されたユーザのメニュー画面１２００（図１２）を表示する。そして、操作部３０３０に表示したメニュー画面１２００を介したユーザからの操作を受け付ける（ステップＳ５０３）。ここで、図１２を参照してメニュー画面１２００の構成の一例について説明する。図１２はメニュー画面１２００の構成の一例を示す図である。
【００８６】
図１２に示すように、メニュー画面１２００は、ユーザ名表示部１２０１、「ブラウザ」ボタン１２０２、「スキャンチケット」ボタン１２０３、「コピー・プリント」ボタン１２０４、「ＦＡＸ」ボタン１２０５、「スキャン」ボタン１２０６、「ログアウト」ボタン１２０７から構成される。
【００８７】
ユーザ名表示部１２０１は、複合機１００にログイン中のユーザ名を表示ための表示部である。
【００８８】
「ブラウザ」ボタン１２０２は、ブラウザを起動するために用いるボタンである。「スキャンチケット」ボタン１２０３は、スキャンチケットを利用するために用いるボタンである。
【００８９】
スキャンチケットとは、ウェブブラウザで表示した文書データを印刷した後、印刷した文書をスキャンして、例えばＦＡＸやメール等で送信する為の送信先や、スキャン処理をする際の各種スキャン属性（解像度、カラー／モノクロ、ファイル形式）を含んだデータである。このスキャンチケットの詳細については図１９を参照して後述する。
【００９０】
本発明では、スキャンチケットの利用したスキャン処理を実行することで、前記スキャンチケットの設定に従って文書データを生成し、前記スキャンチケットに設定された送信先に対して前記文書データを送信することになる。
【００９１】
「コピー・プリント」ボタン１２０４は、文書のコピーやＰＣから転送された印刷ジョブ等を印刷するために用いるボタンである。
【００９２】
「ＦＡＸ」ボタン１２０５は、複合機１００のＣＰＵ３００１が、スキャナ３０６０により文書データを読み込むことにより生成される画像データを、ＦＡＸ送信するために用いられるボタンである。
【００９３】
「スキャン」ボタン１２０６は、スキャナ３０６０による文書データのスキャン処理を実行するために用いるボタンである。
【００９４】
「ログアウト」ボタン１２０７は、ログイン中のユーザの複合機１００からログアウト処理を実行するために用いられるボタンである。以上が、図１２のメニュー画面１２００の構成の一例の説明である。
【００９５】
図５の説明に戻る。複合機１００のＣＰＵ３００１は、ステップＳ５０３で受け付けた操作の内容がブラウザ表示であるか否かを判定する（ステップＳ５０４）。複合機１００のＣＰＵ３００１が受け付けた操作の内容がブラウザ表示であると判定された場合とは、例えば操作部３０３０に表示されるメニュー画面１２００（図１２）の「ブラウザ」ボタン１２０２の押下を受け付けた場合である。
【００９６】
複合機１００のＣＰＵ３００１は、受け付けた操作がブラウザ表示であると判定された場合（ステップＳ５０４でＹＥＳ）はブラウザを起動し、操作部３０３０に起動したブラウザ画面を表示して、アクセス先ウェブページを特定する操作を受け付ける（ステップＳ５０６）。前記アクセス先ウェブページを特定する操作の受付とは、例えばＵＲＬの入力受付や、予め設定されたウェブページへのリンクボタンの押下の受付である。
【００９７】
一方、受け付けた操作の内容がブラウザ表示以外の操作であると判定された場合は（ステップＳ５０４でＮＯ）、その他処理（ステップＳ５０５）に移行する。ここでいうその他処理（ステップＳ５０５）とは、例えば、複合機１００のメニュー画面１２００（図１２）に表示される、「コピー・プリント」ボタン１２０４、「ＦＡＸ」ボタン１２０５、「スキャン」ボタン１２０６の押下を受け付けることにより実行される、各ボタンに対応付けられた処理である。
【００９８】
なお、ステップＳ５０５で複合機１００のＣＰＵ３００１が受け付けた処理が、「スキャンチケット」ボタン１２０３の押下を受け付けた場合、図７に示すスキャンチケット利用処理を行うことになる。複合機１００のＣＰＵ３００１は、ステップＳ５０５にて、ユーザの操作に応じてこれらの処理を実行した後、処理を終了する。
【００９９】
複合機１００のＣＰＵ３００１は、前記アクセス先のウェブページを操作部３０３０に表示するための情報をウェブサーバ３００より取得し、取得した情報に従ってアクセス先のウェブページを操作部３０３０に表示する（ステップＳ５０７）。取得する情報には、例えば、ウェブサーバ３００上に存在する文書データなどが含まれ、表示する画面は、例えば、文書データである注文書を表示したウェブページ画面１３００（図１３）のような画面である。（請求項１でいう「ウェブサーバから得られるウェブページより文書データを取得する文書データ取得手段」及び、請求項７でいう「画像形成装置からの要求に応じて、ウェブページの情報を提供するウェブページ情報提供手段」に該当する。）
【０１００】
ここで、図１３を参照して前記ウェブページ画面１３００の構成の一例について説明する。図１３は文書データ、例えば注文書等を表示するためのウェブページ画面の構成の一例を示す図である。
【０１０１】
図１３に示すように、ウェブページ画面１３００は、ＵＲＬ表示部１３０１、文書データ表示部１３０２、「プリント」ボタン１３０３、「戻る」ボタン１３０４を備えている。ＵＲＬ表示部１３０１は前記アクセス先ウェブページのＵＲＬを表示するための表示部である。文書データ表示部１３０２は、ウェブページ上に公開されている文書データを表示するための表示部である。
【０１０２】
「プリント」ボタン１３０３は、ウェブページ画面上に表示されているデータ、例えば前記文書データを印刷するために用いられるボタンである。「戻る」ボタン１３０４は、前記メニュー画面１２００（図１２）に戻るために用いられるボタンである。以上が、図１３のウェブページ画面１３００の構成の一例の説明である。
【０１０３】
図５の説明に戻る。複合機１００のＣＰＵ３００１は、ステップＳ５０７で操作部３０３０に表示されたウェブページ画面１３００（図１３）を介したユーザからの操作を受け付ける（ステップＳ５０８）。
【０１０４】
複合機１００のＣＰＵ３００１は、受け付けた操作がウェブページ画面１３００に表示された文書データの印刷か否かを判定する（ステップＳ５０９）。受け付けた操作が印刷であると判定された場合とは、例えばウェブページ画面１３００の「プリント」ボタン１３０３の押下を受け付けた場合である。
【０１０５】
受け付けた操作が文書データの印刷であると判定された場合（ステップＳ５０９でＹＥＳ）、ステップＳ５１０に移行し、該文書データを印刷可能なファイル形式に変換する。一方、受け付けた操作が文書データの印刷でないと判定された場合（ステップＳ５０９でＮＯ）、例えばウェブページ画面１３００の「戻る」ボタン１３０４の押下を受け付けた場合は、前記メニュー画面１２００へ戻る。
【０１０６】
複合機１００のＣＰＵ３００１は、ステップＳ５１０にて複合機１００のＣＰＵ３００１が変換した文書データを印刷する（ステップＳ５１１）。
【０１０７】
次に、複合機１００のＣＰＵ３００１は、前記印刷した文書データのファイル形式が所定の形式か否か判定する（ステップＳ５１２）。ここでいう所定の形式とは、図１４を参照して後述するスキャンチケット生成指示受付画面１４００を表示するか否かの判定の基準となるファイル形式のことをいう。（請求項５でいう「文書データ取得手段で取得する文書データのデータファイル形式を特定する特定手段」と、「前記特定手段で特定したデータファイル形式を以って、スキャンチケットの生成指示を受け付けるための画面である生成指示受付画面を画面表示部に表示するか否かを判定する第２の判定手段」に該当する。）
【０１０８】
例えば、具体的にはＰＤＦ、ＧＩＦ、ＪＰＥＧ等を所定のファイル形式として定めておき、印刷指示された文書データがのファイル形式が前記所定のファイル形式であると判定された場合、スキャンチケット生成指示受付画面１４００（図１４）を、操作部３０３０に表示する（ステップＳ５１３）。つまり、ＨＴＭＬデータが印刷された場合はスキャンチケット生成指示受付画面１４００を表示せず、ＰＤＦデータが印刷された場合はスキャンチケット生成指示受付画面１４００を表示するというように、印刷指示されたファイルのファイル形式によってスキャンチケット生成指示受付画面１４００を表示させる・表示させないといった制御を行う。（請求項５でいう「第２の判定手段で判定した判定結果に従って、前記画面表示部に前記生成指示受付画面を表示する第２の表示制御手段」に該当する。）
【０１０９】
ここで図１４を参照してスキャンチケット生成指示受付画面１４００の構成の一例について説明する。図１４はスキャンチケットの生成指示を受け付けるための画面の構成の一例を示す図である。
【０１１０】
図１４に示すように、スキャンチケット生成指示受付画面１４００は、文書データ取得元ＵＲＬ表示部１４０１と、「はい」ボタン１４０２と、「いいえ」ボタン１４０３によって構成される。
【０１１１】
文書データ取得元ＵＲＬ表示部１４０１は、前記印刷された文書データの取得元ウェブページのＵＲＬを表示するための表示部である。「はい」ボタン１４０２は、スキャンチケットの生成指示を行うために用いるボタンである。「いいえ」ボタン１４０３は、スキャンチケットの生成を行わず、処理を終了するために用いるボタンである。以上がスキャンチケット生成指示受付画面１４００の構成の一例の説明である。
【０１１２】
図５の説明に戻る。複合機１００のＣＰＵ３００１は、操作部３０３０に表示されたスキャンチケット生成指示受付画面１４００（図１４）を介したユーザからの操作を受付け（ステップＳ５１４）、ユーザより受け付けた操作がスキャンチケットの生成か否かを判定する（ステップＳ５１５）。受け付けた操作がスキャンチケットの生成であると判定された場合（ステップＳ５１５でＹＥＳ）はステップＳ５１６に処理を移行し、スキャンチケットの生成でないと判定された場合（ステップＳ５１５でＮＯ）は処理を終了する。
【０１１３】
複合機１００のＣＰＵ３００１は、スキャンチケットサーバ４００にスキャンチケットの生成要求をするにあたり、ステップＳ５０７でウェブサーバ３００より取得した文書データに、スキャンチケットを生成するためのデータであるスキャンチケット生成データが紐付いて存在しているかどうかを判定する（ステップＳ５１６）。（請求項１でいう「文書データ取得手段により取得した文書データの印刷後の文書の送信先を示す情報である送信先情報を取得可能か否か判定する第１の判定手段」及び、請求項２でいう「前記第１の判定手段は、前記文書データの印刷後の文書の送信先を示す情報である送信先情報少なくとも含む、スキャンチケットを生成するためのデータであるスキャンチケット生成データが、前記文書データに紐付いている場合に、前記送信先情報を取得可能であると判定する」に該当する。）
【０１１４】
スキャンチケット生成データとは、文書データを印刷した後、印刷した文書をスキャンして、例えばＦＡＸやメール等で送信する際の送信先を含んだスキャンチケットの生成のためのデータである。
【０１１５】
スキャンチケット生成データには、前記送信先に加え、スキャンチケット１９００（図１９）中のチケット名１９０３、スキャン設定１９０４、有効期限１９０５や、送信先情報２０５０（図２０）でいうＵＲＬ２０５２に該当するようなデータが含まれていてもよい。
【０１１６】
複合機１００のＣＰＵ３００１は、ウェブサーバ３００から文書データを取得する際に、当該文書データに紐付けられているスキャンチケット生成データも合わせて取得することになる。この場合、前記スキャンチケット生成データは、文書データと共に複合機１００のＣＰＵ３００１のデータ取得部１１４のデータ取得機能により取得され（ステップＳ５０７）、ＲＡＭ３００２に保持される。なお、スキャンチケット生成データは文書データに含まれる構成にしても勿論構わない。また、前記文書データの取得元ＵＲＬに紐付いているスキャンチケット生成データ（前記送信）を取得するようにしてもよい。（請求項４でいう「前記第１の判定手段は、前記文書データの取得元のＵＲＬより前記文書データの印刷後の文書の送信先を特定可能な場合、前記送信先情報を取得可能であると判定する」に該当する。）
【０１１７】
また、前記スキャンチケット生成データは、文書データを取得する際に合わせて取得するような構成ではなく、文書データに対して印刷指示を受け付けた後に、複合機１００のＣＰＵ３００１が当該文書データに紐付けられているスキャンチケット生成データをウェブサーバ３００より取得する構成にしても良い。
【０１１８】
複合機１００のＣＰＵ３００１は、複合機１００のＣＰＵ３００１がステップＳ５０７でウェブサーバ３００より取得した文書データに前記スキャンチケット生成データが紐付けられているかを判定する（ステップＳ５１６）。紐付けられていると判定した場合（ステップＳ５１６：ＹＥＳ）、ＲＡＭ３００２に保持している前記スキャンチケット生成データを取得する（ステップＳ５１７）。尚、スキャンチケット生成データを文書データとともに取得していない場合には、当該文書データに紐付けられている文書データをウェブサーバ３００〜取得することになる。
【０１１９】
複合機１００のＣＰＵ３００１は、前記スキャンチケット生成データが、複合機１００がステップＳ５０７で取得した文書データに紐付いて存在しない場合（ステップＳ５１６でＮＯ）は、ステップＳ５１８の処理に移行する。
【０１２０】
複合機１００のＣＰＵ３００１は、ステップＳ５１８にて、ステップＳ５１１で印刷した文書データ中の文字情報から、該文書データの送信先を取得可能か否か判定する。該文書データの送信先が文書データ内の文字情報から取得可能であると判定された場合（ステップＳ５１８でＹＥＳ）はステップＳ５１９に移行する。（請求項１でいう「文書データ取得手段により取得した文書データの印刷後の文書の送信先を示す情報である送信先情報を取得可能か否か判定する第１の判定手段」及び、請求項３でいう「前記第１の判定手段は、前記文書データの文字情報に前記送信先を示す送信先情報が含まれる場合、前記送信先情報を取得可能であると判定する」に該当する。）
【０１２１】
ステップＳ５１９では、複合機１００のＣＰＵ３００１は、ウェブサーバ３００より取得した文書データ内の文字情報を読み取って、該文書データ印刷後、印刷された文書をスキャンして、例えばＦＡＸやメール等で送信するための送信先を取得する。
【０１２２】
複合機１００のＣＰＵ３００１は、複合機１００にログイン中のユーザのユーザ情報１８００中のカードＩＤ１８０１と、ステップＳ５１７またはステップＳ５１９で取得したスキャンチケット生成データをスキャンチケットサーバ４００に送信することで、スキャンチケットサーバ４００にスキャンチケットの生成を要求する（ステップＳ５２１）。（請求項１でいう「前記第１の判定手段で、前記送信先情報を取得可能であると判定した場合に、前記管理サーバに対して前記送信先情報の示す送信先を含むスキャンチケットの生成を要求するスキャンチケット生成要求手段」に該当する。）
【０１２３】
一方、前記文書データ内の文字情報から前記送信先が取得不可能であると判定された場合（ステップＳ５１８でＮＯ）はステップＳ５２０に移行し、複合機１００のＣＰＵ３００１は、操作部３０３０を介したスキャンチケット生成データの入力を受け付け、スキャンチケットサーバ４００にスキャンチケットの生成要求をする。ステップＳ５２０のスキャンチケットの手動生成要求処理の詳細については図１０を参照して後述する。以上が、図５のスキャンチケット生成要求処理の詳細な説明である。
【０１２４】
次に、図６を参照して、スキャンチケットサーバ４００のＣＰＵ２００１によって行われる処理の詳細について説明する。図６は、スキャンチケットサーバ４００のＣＰＵ２００１によって行われるスキャンチケット生成処理の詳細の一例を示すフローチャートである。
【０１２５】
スキャンチケットサーバ４００のＣＰＵ２００１は、複合機１００より、複合機１００のＣＰＵ３００１が、図５のステップＳ５２１、または図１０のステップＳ１０１６で送信した、スキャンチケット生成要求を受信する。（ステップＳ６０１）。複合機１００の
ＣＰＵ３００１が、図５のステップＳ５２１、または図１０のステップＳ１０１６で送信した前記スキャンチケット生成要求には、複合機１００にログイン中のユーザのユーザ情報とスキャンチケット生成データが含まれる。
【０１２６】
複合機１００より受信したカードＩＤ１８０１は、スキャンチケットの生成が完了するまでの間、スキャンチケットサーバ４００のＲＡＭ２００２に一時的に記憶される（ステップＳ６０２）。
【０１２７】
スキャンチケットサーバ４００のＣＰＵ２００１は、ＲＡＭ２００２に一時記憶した前記カードＩＤ１８０１を取得し、取得したカードＩＤをカードＩＤ１９０１（図１９）に有するスキャンチケット１９００を生成する（ステップＳ６０３）。
【０１２８】
スキャンチケットサーバ４００のＣＰＵ２００１は、複合機１００よりステップＳ６０１で受信したスキャンチケット生成データに基づいて、スキャンチケット１９００にデータを登録する（ステップＳ６０４）。具体的には、スキャンチケット１９００内のチケット名１９０３、スキャン設定１９０４、有効期限１９０５に該当するデータを各データ項目に登録する。
【０１２９】
ここで、図１９を参照して、スキャンチケットサーバ４００の外部メモリ２０１１に記憶されている、スキャンチケット１９００のデータ構成について説明する。図１９は、スキャンチケット１９００のデータ構成の一例を示す図である。
【０１３０】
図１９に示すように、スキャンチケット１９００はデータ項目として、カードＩＤ１９０１、送信先ＩＤ１９０２、チケット名１９０３、スキャン設定１９０４、有効期限１９０５等を備えている。
【０１３１】
カードＩＤ１９０１には、スキャンチケット１９００の生成要求を行ったユーザのユーザ情報１８００中にある、カードＩＤ１８０１と同一のカードＩＤが登録される。カードＩＤ１９０１は、例えば、スキャンチケット１９００がどのユーザに関連するデータかを特定するために用いられる。
【０１３２】
送信先ＩＤ１９０２には、スキャンチケット１９００を利用して文書を送信する際の送信先である送信先２０５３を含んだ送信先情報２０５０（図２０の説明にて後述）とスキャンチケット１９００を紐づけるためのＩＤ情報が登録される。
【０１３３】
スキャンチケット１９００中のチケット名１９０３には、スキャンチケットの名称であり、図１５を参照して後述するスキャンチケット一覧画面１５００にて、ユーザにスキャンチケットを識別させるためのスキャンチケットの名称が登録される。この情報はスキャンチケット生成データに含まれているものとする。なお、スキャンチケット生成データにスキャンチケット名称が含まれていない場合には、スキャンチケットサーバ４００のＣＰＵ２００１が、スキャンチケット１９００生成時に、予め設定した名称、例えば、スキャンチケット１９００の生成時刻等がチケット名として、チケット名１９０３に登録するようにしてもよい。
【０１３４】
スキャン設定１９０４には、スキャンチケット生成データに含まれるスキャン属性を指定する為の情報が登録される。スキャン属性には、図４で説明したように、例えば、スキャン部１１７がスキャンした文書のデータをどのようなファイル形式で生成するかというファイル形式の指定や、スキャン時のカラー設定、解像度、両面読取、読取濃度等を指定する情報がある。なお、スキャンチケットサーバ４００のＣＰＵ２００１は、スキャンチケット生成データにスキャン設定の情報が含まれていない場合、スキャンチケット１９００生成時に、予め設定したスキャン設定をスキャン設定１９０４に登録するようにしてもよい。
【０１３５】
有効期限１９０５には、スキャンチケット生成データに含まれるスキャンチケットの利用可能期限が登録される。例えば、スキャンチケットの生成日時から数日、スキャンチケットの最終利用日から数週間等、有効期限を自由に設定できる。有効期限１９０５に設定された特定の日時や期間に従って、スキャンチケットサーバ４００のＣＰＵ２００１は有効期限が切れたスキャンチケットを自動的に削除する。なお、スキャンチケットサーバ４００のＣＰＵ２００１は、スキャンチケット生成データに有効期限の情報が含まれていない場合、スキャンチケット１９００生成時に、予め設定した有効期限の設定情報を有効期限１９０５に登録するようにしてもよい。
【０１３６】
有効期限１９０５に有効期限を示すデータが登録されていない場合、スキャンチケット１９００を利用した文書データの送信が完了した後、該スキャンチケット１９００を削除するようにしてもよい。以上が図１９のスキャンチケット１９００のデータ構成の一例の説明である。
【０１３７】
ここで、図２０を参照して、スキャンチケットサーバ４００の外部メモリ２０１１に記憶されている、送信先情報２０５０のデータ構成について説明する。図２０は、送信先情報２０５０のデータ構成の一例を示す図である。
【０１３８】
図２０に示すように、送信先情報２０５０はデータ項目として、送信先ＩＤ２０５１、ＵＲＬ２０５２、送信先２０５３等を備えている。
【０１３９】
送信先ＩＤ２０５１には、送信先情報２０５０を一意に識別するための識別情報が登録されている。
【０１４０】
ＵＲＬ２０５２には、複合機１００のＣＰＵ３００１が文書を印刷する際に取得した文書データの取得元のＵＲＬが登録される。ＵＲＬ２０５２の利用方法については、図１０を参照して後述する。
【０１４１】
送信先２０５３には、複合機１００のＣＰＵ３００１が、印刷した文書をスキャンして、例えばＦＡＸやメール等で送信するための送信先を登録する。以上が図２０の送信先情報２０５０のデータ構成の一例の説明である。
【０１４２】
図６の説明に戻る。次にスキャンチケットサーバ４００のＣＰＵ２００１は、スキャンチケット１９００と送信先情報２０５０を紐づけるデータとして送信先ＩＤを生成し、前記送信先ＩＤを送信先ＩＤ２０５１に有する送信先情報２０５０を生成する（ステップＳ６０５）。
【０１４３】
次に、スキャンチケットサーバ４００のＣＰＵ２００１は、送信先ＩＤ２０５１に登録された送信先ＩＤと同一の送信先ＩＤをスキャンチケット１９００の送信先ＩＤ１９０２に登録する（ステップＳ６０６）。
【０１４４】
スキャンチケットサーバ４００のＣＰＵ２００１は、ステップＳ６０１で複合機１００より受信したスキャンチケット生成データに基づいて、送信先情報２０５０にデータを登録する（ステップＳ６０７）。具体的には、送信先情報２０５０中のＵＲＬ２０５２、送信先２０５３該当するデータを各データ項目に登録する。
【０１４５】
スキャンチケットサーバ４００のＣＰＵ２００１により生成されたスキャンチケット１９００、および送信先情報２０５０は、スキャンチケットサーバ４００の外部メモリ２０１１に記憶される（ステップＳ６０８）。
【０１４６】
スキャンチケットサーバ４００のＣＰＵ２００１は、複合機１００より受信したスキャンチケット生成要求に応じて、スキャンチケット１９００および送信先情報２０５０を生成した旨を通知するデータを複合機１００に送信する（ステップＳ６０９）。以上が図６のスキャンチケット生成処理の詳細説明である。
【０１４７】
次に、図７を参照して、複合機１００のＣＰＵ３００１によって行われる処理の詳細について説明する。図７は、複合機１００のＣＰＵ３００１によって行われるスキャンチケット利用処理の詳細の一例を示すフローチャートである。
【０１４８】
複合機１００のＣＰＵ３００１は、カードリーダ３０４０に翳されたＩＣカードよりカード情報を取得し、ユーザのログイン処理を行い（ステップＳ７０１）、操作部３０３０にメニュー画面１２００（図１２）を表示する（ステップＳ７０２）。ステップＳ７０１のログイン処理の詳細については、既に図９で説明した通りである。
【０１４９】
続いて、複合機１００のＣＰＵ３００１は、操作部３０３０に表示されたメニュー画面１２００を介したユーザからの操作を受け付け（ステップＳ７０３）、受け付けた操作がスキャンチケットの利用であるか否かを判定する（ステップＳ７０４）。受け付けた操作がスキャンチケットの利用であると判定される場合とは、例えば、メニュー画面１２００（図１２）に表示される「スキャンチケット」ボタン１２０３の選択操作を複合機１００のＣＰＵ３００１が受け付けた場合である。
【０１５０】
受け付けた操作がスキャンチケットの利用であると判定された場合（ステップＳ７０４でＹＥＳ）、複合機１００のＣＰＵ３００１は、スキャンチケットサーバ４００よりスキャンチケット一覧データを取得する処理に移行する（ステップＳ７０６）。受け付けた操作がスキャンチケットの利用でないと判定された場合、ステップＳ７０３で受け付けた操作指示に従ってその他処理に処理を移行する（ステップＳ７０５）。
【０１５１】
スキャンチケット一覧データとは、スキャンチケットサーバ４００の外部メモリ２０１１に記憶されている、スキャンチケット１９００と、前記スキャンチケット１９００の有する送信先ＩＤによって紐づいた送信先情報２０５０の一覧情報を複合機１００の操作部３０３０に表示する為のデータである。スキャンチケット一覧データ取得処理の詳細については図８を参照して後述する。
【０１５２】
ここで、図８を参照して複合機１００のＣＰＵ３００１とスキャンチケットサーバ４００のＣＰＵ２００１によって行われるスキャンチケット一覧データ取得処理の詳細について説明する。
【０１５３】
複合機１００のＣＰＵ３００１は、複合機１００にログイン中のユーザのユーザ情報１８００中のカードＩＤ１８０１をスキャンチケットサーバ４００に送信することにより、前記カードＩＤに紐づいたスキャンチケット一覧データの送信を、スキャンチケットサーバ４００に要求する（ステップＳ８０１）。
【０１５４】
スキャンチケットサーバ４００のＣＰＵ２００１は、複合機１００からのスキャンチケット一覧データ生成要求を受信すると（ステップＳ８０２）、複合機１００より受信したカードＩＤ１８０１と同一のカードＩＤを有するスキャンチケット１９００、および前記スキャンチケット１９００に紐づいてスキャンチケットサーバ４００の外部メモリ２０１１に記憶されている送信先情報２０５０を検出する（ステップＳ８０３）。
【０１５５】
スキャンチケットサーバ４００のＣＰＵ２００１は、ステップＳ８０３で検出したスキャンチケット１９００、および送信先情報２０５０に基づき、スキャンチケット一覧データを生成し（ステップＳ８０４）、複合機１００に、スキャンチケット一覧データを送信する（ステップＳ８０５）。
【０１５６】
複合機１００のＣＰＵ３００１は、スキャンチケットサーバ４００よりスキャンチケット一覧データを受信する（ステップＳ８０６）。以上が図８のスキャンチケット一覧データ取得処理の詳細な説明である。
【０１５７】
図７の説明に戻る。複合機１００のＣＰＵ３００１は、スキャンチケット一覧データを、スキャンチケットサーバ４００から受信することにより取得して（ステップＳ７０６）、図１５に示すようなスキャンチケット一覧画面１５００を、操作部３０３０に表示する（ステップＳ７０７）。（請求項１でいう「前記管理サーバより取得した前記スキャンチケットを画面表示部に表示する第１の表示制御手段」、請求項６でいう「前記第１の表示制御手段は、前記管理サーバより取得した前記スキャンチケットの一覧を表示する」に該当する。）
【０１５８】
ここで、図１５を参照して、スキャンチケット一覧画面１５００の構成の一例について説明する。図１５はスキャンチケット一覧画面１５００の構成の一例を示す図である。
【０１５９】
図１５に示すように、スキャンチケット一覧画面１５００は、スキャンチケット一覧表示部１５０１、「戻る」ボタン１５０２等から構成される。
【０１６０】
スキャンチケット一覧表示部１５０１は、複合機１００がスキャンチケットサーバ４００より受信したスキャンチケット一覧データを表示し、一覧表示された各スキャンチケットの選択を受け付けるための表示部である。
【０１６１】
「戻る」ボタン１５０２は、メニュー画面１２００に戻るために用いるボタンである。以上が、図１５のスキャンチケット一覧画面１５００の構成の一例の説明である。
【０１６２】
図７の説明に戻る。複合機１００のＣＰＵ３００１は、スキャンチケット一覧画面１５００（図１５）を介したユーザからの操作を受け付け（ステップＳ７０８）、該受け付けた操作がスキャンチケットの選択であるか否かを判定する（ステップＳ７０９）。受け付けた操作がスキャンチケットの選択であると判定された場合（ステップＳ７０９でＹＥＳ）、複合機１００のＣＰＵ３００１は選択操作によって特定されたスキャンチケットのデータの詳細を操作部３０３０に表示する（ステップＳ７１０）。このとき操作部３０３０に表示する操作画面の一例として、スキャンチケット利用画面１６００（図１６）がある。（請求項１でいう「前記第１の表示制御手段により画面表示部に表示されたスキャンチケットの中から、前記紙文書の読取処理を実行するためのスキャンチケットの選択を受付ける操作指示受付手段」に該当する。）
【０１６３】
ここで図１６を参照してスキャンチケット利用画面１６００の構成の一例について説明する。図１６はスキャンチケットの利用操作を受け付けるための画面の構成の一例を示す図である。
【０１６４】
図１６に示すように、スキャンチケット利用画面１６００は、利用スキャンチケット内容表示部１６０１と、「スキャン」ボタン１６０２、「送信」ボタン１６０３と、「戻る」ボタン１６０４によって構成される。
【０１６５】
利用スキャンチケット内容表示部１６０１は、図７のステップＳ７０９で選択操作を受け付けたスキャンチケットの内容を表示するための表示部である。
【０１６６】
「スキャン」ボタン１６０２は、前記スキャンチケット内容表示部１６０１に表示されるスキャン設定に従ってスキャン処理を行うために用いるボタンである。
【０１６７】
「送信」ボタン１６０３は、前記スキャン設定に従ってスキャンし、生成した文書データを、スキャンチケット内容表示部１６０１に表示される送信先に従って送信先に送信するために用いるボタンである。「戻る」ボタン１６０４は、スキャンチケット一覧画面１５００（図１５）を、再び操作部３０３０に表示するために用いるボタンである。以上がスキャンチケット利用画面１６００の構成の一例の説明である。
【０１６８】
図７の説明に戻る。複合機１００のＣＰＵ３００１は、ステップＳ７０９で受け付けた操作がスキャンチケットの選択ではないと判定した場合（ステップＳ７０９でＮＯ）、処理をステップＳ７０２のメニュー画面表示処理に移行する。
【０１６９】
複合機１００のＣＰＵ３００１は、ステップＳ７１０で操作部３０３０に表示したスキャンチケット利用画面１６００に対するユーザからの操作を受け付け（ステップＳ７１１）、受け付けた操作がスキャンであるか否かを判定する（ステップＳ７１２）。受け付けた操作がスキャンでると判定した場合は（ステップＳ７１２でＹＥＳ）、複合機１００のＣＰＵ３００１は、スキャンチケット１９００中のスキャン設定１９０４に基づいてスキャンを実行する（ステップＳ７１３）。
【０１７０】
受け付けた操作がスキャンであると判定された場合とは、例えば、スキャンチケット利用画面１６００に表示する、「スキャン」ボタン１６０２の押下を受け付けたと判定された場合である。
【０１７１】
一方、受け付けた操作がスキャンではないと判定した場合、例えば、スキャンチケット利用画面１６００に表示する、「戻る」ボタン１６０４の押下を受け付けた場合は、処理をステップＳ７０７のスキャンチケット一覧画面１５００（図１５）の表示処理に移行する。
【０１７２】
続いて複合機１００のＣＰＵ３００１は、操作部３０３０を介したユーザからの操作を受け付け（ステップＳ７１４）、受け付けた操作がスキャンした文書データをスキャンチケットに設定された送信先に送信する送信操作か否かを判定する（ステップＳ７１５）。
【０１７３】
受け付けた操作が送信操作であると判定された場合（ステップＳ７１５でＹＥＳ）、スキャンした文書のデータを、スキャンチケット１９００中の送信先ＩＤ１９０２と同一の送信先ＩＤを有する送信先情報２０５０の送信先２０５３で指定された送信先に送信する（ステップＳ７１６）。つまり、複合機１００のＣＰＵ３００１が、ファイル送信部１１９の送信機能を用いてスキャンした文書のデータを送信すべく、Ｎｅｔｗｏｒｋ  Ｉ／Ｆ３００５を制御してＬＡＮに接続し、スキャンした文書データを送信する。受け付けた操作が送信操作であると判定された場合とは、例えば、スキャンチケット利用画面１６００に表示する、「送信」ボタン１６０３の押下を受け付けた場合である。（請求項１でいう「前記操作指示受付手段により選択されたスキャンチケットの内容に基づいて紙文書の読取処理を行い、該スキャンチケットに含まれる送信先に基づいて、前記読取処理により取得した画像データを送信先へ送信する送信手段」、及び、請求項９でいう「操作指示受付手段により選択されたスキャンチケットの内容に基づいて紙文書の読取処理を行い、該スキャンチケットに含まれる送信先に基づいて、前記読取処理により取得した画像データを送信先へ送信すべく送信部に指示する送信指示手段」に該当する。）
【０１７４】
一方、複合機１００のＣＰＵ３００１が、操作部３０３０を介して受け付けた操作がスキャンした文書データの送信操作ではないと判定された場合（ステップＳ７１５でＮＯ）、ステップＳ７０７に処理を移行し、再びスキャンチケット一覧画面１５００（図１５）を操作部３０３０に表示する。
【０１７５】
次に、複合機１００のＣＰＵ３００１は、ステップＳ７１７で文書データの送信に利用したスキャンチケット１９００の有効期限の設定が、スキャンチケット利用後削除にあたる設定か否かを判定する。該スキャンチケット１９００の有効期限１９０５の設定がスキャンチケット利用後削除にあたる設定であると判定した場合（ステップＳ７１７でＹＥＳ）は、複合機１００のＣＰＵ３００１は、スキャンチケットサーバ４００に、該スキャンチケット１９００の削除を要求し（ステップＳ７１８）、処理を終了する。
【０１７６】
一方、該スキャンチケット１９００の有効期限１９０５の設定がスキャンチケット利用後削除にあたる設定でないと判定した場合（スキャンチケットでＮＯ）は処理を終了する。以上が図７のスキャンチケット利用処理の詳細な説明である。
【０１７７】
次に図１１を参照して、スキャンチケットサーバ４００のＣＰＵ２００１によって行われる処理の詳細について説明する。図１１は、スキャンチケットサーバ４００のＣＰＵ２００１によって行われる、スキャンチケットの削除処理の一例を示すフローチャートである。
【０１７８】
スキャンチケットサーバ４００のＣＰＵ２００１は、複合機１００よりスキャンチケット削除要求を受信する（ステップＳ１１０１）。
【０１７９】
スキャンチケットサーバ４００のＣＰＵ２００１は、スキャンチケット管理部４１２のスキャンチケット管理機能により、複合機１００からの削除要求の対象となるスキャンチケットを特定し（ステップＳ１１０２）、スキャンチケットサーバ４００の外部メモリ２０１１に記憶されている前記ステップＳ１１０２で特定されたスキャンチケット１９００と、前記スキャンチケット１９００に紐付いた送信先情報２０５０を削除する（ステップＳ１１０３）。以上が図１１に示すスキャンチケット削除処理の詳細な説明である。
【０１８０】
次に、図１０を参照して、図５のステップＳ５１９の手動入力受付によるスキャンチケットの生成要求処理の詳細について説明する。図１０は、図５のステップＳ５１９の手動入力受付によるスキャンチケット生成要求処理の詳細を示すフローチャートである。
【０１８１】
複合機１００のＣＰＵ３００１は、図５のステップＳ５０７で取得した文書データの取得元のＵＲＬをスキャンチケットサーバ４００に送信することで、前記ＵＲＬと同一のＵＲＬをＵＲＬ２０５２に有する送信先情報２０５０、それに紐づくスキャンチケット１９００の一覧データをスキャンチケット一覧データとして、複合機１００に送信するようスキャンチケットサーバ４００に要求する（ステップＳ１００１）。
【０１８２】
スキャンチケットサーバ４００のＣＰＵ２００１は、スキャンチケット一覧データの送信要求を複合機１００から受信すると（ステップＳ１００２）、複合機１００より受信したＵＲＬと同一のＵＲＬを有する送信先情報２０５０とそれに紐づくスキャンチケット１９００を検出する（ステップＳ１００３）。（請求項４でいう「前記第１の判定手段は、前記文書データの取得元のＵＲＬより前記文書データの印刷後の文書の送信先を特定可能な場合、前記送信先情報を取得可能であると判定する」に該当する。）
【０１８３】
スキャンチケットサーバ４００のＣＰＵ２００１は、ステップＳ１００３で検出した送信先情報２０５０と前記送信先情報と紐づいたスキャンチケット１９００の一覧データを生成し（ステップＳ１００４）、生成したスキャンチケット一覧データを複合機１００に送信する（ステップＳ１００５）。
【０１８４】
複合機１００のＣＰＵ３００１は、スキャンチケットサーバ４００よりスキャンチケット一覧データを受信すると（ステップＳ１００６）、図１５に示すようなスキャンチケット一覧画面１５００を操作部３０３０に表示する（ステップＳ１００７）。
【０１８５】
複合機１００のＣＰＵ３００１は、操作部３０３０を介したユーザからの操作を受け付け（ステップＳ１００８）、受け付けた操作がスキャンチケット一覧からのスキャンチケット選択操作か否かを判定する（ステップＳ１００９）。受け付けた操作がスキャンチケット選択操作であると判定した場合（ステップＳ１００９でＹＥＳ）、複合機１００のＣＰＵ３００１は、該選択の対象となったスキャンチケットの詳細情報を操作部３０３０に表示する（ステップＳ１０１０）。表示する画面は、例えば図１７に示すスキャンチケット詳細表示画面１７００のような画面である。受け付けた操作がスキャンチケット選択操作でなかった場合（ステップＳ１００９でＮＯ）には処理を終了する。
【０１８６】
ここで図１７を参照して、スキャンチケット詳細表示画面１７００の構成の一例について説明する。図１７はスキャンチケットの内容を表示し、ユーザからの操作を受け付けることでスキャンチケットの編集を行うことができる、スキャンチケット詳細表示画面１７００の構成の一例を示す図である。
【０１８７】
図１７に示すように、スキャンチケット詳細表示画面１７００は、文書取得元ＵＲＬ表示部１７０１、チケット名表示部１７０２、送信先表示部１７０３、スキャン設定表示部１７０４、有効期限表示部１７０５、「ＯＫ」ボタン１７０６、「戻る」ボタン１７０７から構成される。
【０１８８】
文書取得元ＵＲＬ表示部１７０１は、操作部３０３０に詳細表示中のスキャンチケットに紐づいた送信先情報２０５０中の、ＵＲＬ２０５２に登録されているＵＲＬを表示するための表示部である。
【０１８９】
チケット名表示部１７０２は、前記詳細表示中のスキャンチケットのチケット名１９０３を表示し、ユーザからのチケット名変更ためのデータ入力を受け付ける表示部である。なお、必ずしも前記チケット名変更ためのデータ入力は必要ではない。
【０１９０】
送信先表示部１７０３は、前記詳細表示中のスキャンチケットの送信先を表示し、ユーザからの送信先変更のためのデータ入力を受け付ける表示部である。なお、必ずしも前記送信先変更のためのデータ入力は必要ではない。
【０１９１】
スキャン設定表示部１７０４は、前記詳細表示中のスキャンチケットのスキャン設定を表示し、ユーザからのスキャン設定変更のためのデータ入力を受け付ける表示部である。なお、必ずしも前記スキャン設定変更のためのデータ入力は必要ではない。
【０１９２】
有効期限表示部１７０５は、前記詳細表示中のスキャンチケットの有効期限を表示し、ユーザからの有効期限変更のためのデータ入力を受け付ける表示部である。なお、必ずしも前記有効期限変更のためのデータ入力は必要ではない。
【０１９３】
「ＯＫ」ボタン１７０６は、文書取得元ＵＲＬ表示部１７０１、チケット名表示部１７０２、送信先表示部１７０３、スキャン設定表示部１７０４、有効期限表示部１７０５に表示された設定内容のスキャンチケットの生成をスキャンチケットサーバ４００に要求するために用いるボタンである。
【０１９４】
「戻る」ボタン１７０７は、スキャンチケット一覧画面１５００に戻るために用いるボタンである。以上が図１７の、スキャンチケット詳細表示画面１７００の構成の一例の説明である。
【０１９５】
図１０の説明に戻る。複合機１００のＣＰＵ３００１は、操作部３０３０を介したユーザからの操作を受け付け（ステップＳ１０１１）、受け付けた操作がスキャンチケット詳細表示画面１７００に詳細を表示中のスキャンチケットの設定変更のためのデータ入力か否かを判定する（ステップＳ１０１２）。
【０１９６】
複合機１００のＣＰＵ３００１は、ステップＳ１０１１で操作部３０３０を介して受け付けた操作が、操作部３０３０に詳細を表示中のスキャンチケットの設定変更のためのデータ入力ではないと判定された場合（ステップＳ１０１２でＮＯ）は、受け付けた操作がスキャンチケットの生成要求操作であったか否かの判定ステップであるステップＳ１０１５に処理を移行する
【０１９７】
一方、複合機１００のＣＰＵ３００１は、操作部３０３０介して受け付けた操作が、操作部３０３０に詳細を表示中のスキャンチケットの設定変更のためのデータ入力であると判定された場合（ステップＳ１０１２でＹＥＳ）、処理をステップＳ１０１３に移行し、ステップＳ１０１１で入力を受け付けたデータに基づいて前記スキャンチケットの設定を変更する（ステップＳ１０１３）。
【０１９８】
次に、複合機１００のＣＰＵ３００１は、スキャンチケット詳細表示画面１７００を介したユーザからの操作を受け付け（ステップＳ１０１４）、ステップＳ１０１５に処理を移行する。
【０１９９】
複合機１００のＣＰＵ３００１は、ステップＳ１０１１またはステップＳ１０１４で受け付けた操作がスキャンチケットの生成要求操作であったか否かを判定する（ステップＳ１０１５）。
【０２００】
受け付けた操作がスキャンチケットの生成であると判定した場合（ステップＳ１０１５でＹＥＳ）、複合機１００のＣＰＵ３００１は、スキャンチケットサーバ４００に対して、スキャンチケット生成データ、および複合機１００にログイン中のユーザのカードＩＤを送信することで、スキャンチケットの生成をスキャンチケットサーバ４００に要求する（ステップＳ１０１６）。
【０２０１】
前記スキャンチケット生成データは、複合機１００のＣＰＵ３００１がスキャンチケット生成要求操作を受け付けた時点で、前記スキャンチケット詳細表示画面１７００に表示されていたスキャンチケットのデータである。
【０２０２】
一方、受け付けた処理がスキャンチケットの生成要求ではないと判定した場合（ステップＳ１０１５でＮＯ）、処理をステップＳ１００７に移行し、操作部３０３０にスキャンチケット一覧画面１５００（図１５）を表示する。
【０２０３】
その後、スキャンチケットサーバ４００のＣＰＵ２００１によって行われるスキャンチケット生成処理については、図６を参照して既に説明したとおりである。以上が図１０の、手動入力受付によるスキャンチケット生成要求処理の詳細な説明である。
【０２０４】
以上のように、上記実施体系によれば、注文書の様な文書毎に提出・送信すべき送信先が異なる文書データを印刷する場合に、文書データ毎に送信先を取得し、注文内容記入後にスキャンした文書データの送信を容易に行わせることができる。
【０２０５】
なお、上述した各種データの構成及びその内容はこれに限定されるものではなく、用途や目的に応じて、様々な構成や内容で構成されることは言うまでもない。
【０２０６】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適しても良い。
【０２０７】
前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０２０８】
この場合、記録媒体から読み出されたプログラム自体が本発明の新規な機能を実現することになり、そのプログラムを記憶した記録媒体は本発明を構成することになる。
【０２０９】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０２１０】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２１１】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２１２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０２１３】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【０２１４】
なお、上述した各実施形態およびその変形例を組み合わせた構成も全て本発明に含まれるものである。
【符号の説明】
【０２１５】
１００：複合機
２００：認証サーバ
３００：ウェブサーバ
４００：スキャンチケットサーバ
【図１】
0005686129.tif 000002
【図２】
0005686129.tif 000003
【図３】
0005686129.tif 000004
【図４】
0005686129.tif 000005
【図５】
0005686129.tif 000006
【図６】
0005686129.tif 000007
【図７】
0005686129.tif 000008
【図８】
0005686129.tif 000009
【図９】
0005686129.tif 000010
【図１０】
0005686129.tif 000011
【図１１】
0005686129.tif 000012
【図１２】
0005686129.tif 000013
【図１３】
0005686129.tif 000014
【図１４】
0005686129.tif 000015
【図１５】
0005686129.tif 000016
【図１６】
0005686129.tif 000017
【図１７】
0005686129.tif 000018
【図１８】
0005686129.tif 000019
【図１９】
0005686129.tif 000020
【図２０】
0005686129.tif 000021